(57)【特許請求の範囲】
【請求項１】
複数の支持脚に軽量Ｈ形鋼である第一の桁部材を取付けると共に前記第一の桁部材に平面視で略井桁状になるよう第二の桁部材を取付け、該第二の桁部材にパネル支持部材を介して床パネルを支持させるようにした床パネル支持構造において、
各支持脚は、下端に基板が固設された複数のボルトと、該ボルトに螺合された支持ナットと、該支持ナットに支持されると共に、前記第一の桁部材が取付けられる支持台を備え、
該支持台には、第一の桁部材における下部のフランジが載置され、第一の桁部材における下部のフランジの縁部には、支持台に載置された、前記フランジと略厚さが等しい当て板が当接され、
当て板の上面及び第一の桁部材における下部のフランジの上面には、押え板が載置され、基板に固設された複数のボルトは、外周部が第一の桁部材における下部のフランジの縁部に当接するよう当て板及び押え板を貫通し、
前記ボルトには押え板及び当て板を介して第一の桁部材を支持脚の支持台に固定するためのナットが螺着されるよう構成されていることを特徴とする床パネル支持構造。
【請求項２】
複数の支持脚に軽量Ｈ形鋼である桁部材を取付けると共に前記桁部材にパネル支持部材を介して床パネルを支持させるようにした床パネル支持構造において、
各支持脚は、下端に基板が固設された複数のボルトと、該ボルトに螺合された支持ナットと、該支持ナットに支持されると共に、前記桁部材が取付けられる支持台を備え、
該支持台には、桁部材における下部のフランジが載置され、桁部材における下部のフランジの縁部には、支持台に載置された、前記フランジと略厚さが等しい当て板が当接され、
当て板の上面及び桁部材における下部のフランジの上面には、押え板が載置され、基板に固設された複数のボルトは、外周部が桁部材における下部のフランジの縁部に当接するよう当て板及び押え板を貫通し、
前記ボルトには押え板及び当て板を介して桁部材を支持脚の支持台に固定するためのナットが螺着されるよう構成されていることを特徴とする床パネル支持構造。
【請求項３】
支持台は、ウエブが上面となり、フランジが支持脚のボルトを挟むように下向きである溝型鋼状の材料で構成されている請求項１又は２に記載の床パネル支持構造。
【請求項４】
当て板には、水平方向から支持脚のボルトにセットし得るようにＵ字状の切欠き孔が形成され、該切欠き孔の円弧部の半径はボルトの半径よりも僅かに大きく、又、円弧部の半径の基準となる中心から矩形状の開口側端部までの寸法もボルトの半径よりも僅かに大きく形成されている請求項１乃至３に記載の床パネル支持構造。
【発明の詳細な説明】
【０００１】
【発明の属する技術分野】
本発明は床パネル支持構造に関するものである。
【０００２】
【従来の技術】
クリーンルームやコンピュータ室等では、室内床面を建屋のコンクリートスラブ上面よりも高くして、室内床面下部に空間を形成し、該空間に空気を送給したり電気配線を通すことが行われている。而して、従来の床パネル支持構造の一例は図１０に示され、５１はクリーンルームやコンピュータ室のコンクリートスラブ上面５２に立設、固定された複数の支持脚、５３は支持脚５１に載置、固定された床パネルであり、床パネル５３を敷設することにより、室内床面が形成されている。
【０００３】
室内床面を形成する際には、コンクリートスラブ上面５２の所定箇所に複数の支持脚５１を立設、固定して高さ調整し、しかる後、支持脚５１に床パネル５３を取付けるようにしている。
【０００４】
しかし、図１０に示す床パネル支持構造の場合は、１本の支持脚５１により４枚の床パネル５３の角部を支持するようにしているため、床パネル５３の数量が多い場合には、支持脚５１の数量も多くなり、従って、支持脚５１の高さ調整に時間を要して工期が長くなる虞がある。
【０００５】
従来の床パネル支持構造の他の例は、図１１〜図１３に示され、図中、５５はクリーンルームやコンピュータ室のコンクリートスラブ上面５６に立設、固定された複数の支持脚、５７は水平に配置されて支持脚５５上に載置、固定された軽量Ｈ型鋼製の桁部材、５８は平面視で桁部材５７に対し直交する方向へ延在するよう桁部材５７上に配置、固定された軽量Ｈ型鋼製の桁部材、５９は桁部材５８の上面に桁部材５８の長手方向へ所定の間隔で配置、固定されたパネル支持部材、６０は四隅を夫々異なるパネル支持部材５９に支持され、固定された床パネルである。
【０００６】
図１３に示すように、支持脚５５はコンクリートスラブ上面５６に固定される基板６１と、基板６１上に固定、立設されると共に内周に雌ねじ６２ａの螺設された筒状の脚部材６２と、下端外周に螺設された雄ねじ６３ａが脚部材６２の雌ねじ６２ａに螺合された筒状の脚部材６３と、脚部材６３の上端に固設されて、載置された桁部材５７を支持し得るようにした平面形状が四角形状の支持板６４を備えている。
【０００７】
支持板６４の上面には、桁部材５７における下部フランジ５７ａの縁部に当接し得るよう、下部フランジ５７ａと厚さの同じ当て板６５が配置され、当て板６５の上面には、下部フランジ５７ａの上面を押え得るようにした押え板６６が配設されている。而して、押え板６６及び当て板６５並びに支持板６４には、上下に貫通するボルト孔が形成され、該ボルト孔にボルト６７を通して締結することにより、桁部材５７は支持脚５５に固定されている。
【０００８】
室内床面を形成する際には、コンクリートスラブ上面５６上に所定の間隔で複数の支持脚５５を立設、固定し、脚部材６３を回転させて昇降させ、各支持脚５５における支持板６４の上面が同一の高さになるよう調整し、しかる後、支持脚５５への桁部材５７の取付け、桁部材５７上への桁部材５８の取付け、桁部材５８上へのパネル支持部材５９の取付け、パネル支持部材５９への床パネル６０の取付けを行う。
【０００９】
図１１〜図１３の床パネル支持構造の場合は、支持脚５５の取付けピッチを１枚の床パネル６０の大きさよりも大きくできるため、図１０の床パネル支持構造における支持脚５１の数量に比べて、支持脚５５の数量を少なくすることができる。
【００１０】
【発明が解決しようとする課題】
図１１〜図１３の床パネル支持構造の場合、桁部材５７，５８を備えた状態でコンクリートスラブ上面５６から床パネル６０上面までの高さ寸法を低くしようとするときには、支持脚５５の高さを低くしなければならず、支持脚５５の高さを低くするためには、脚部材６２，６３の長さを短くしなければならない。又、脚部材６２，６３の長さを短くするためには、脚部材６２の雌ねじ６２ａ部、脚部材６３の雄ねじ６３ａ部の長さを短くしなければならないため、支持脚５５の高さ調整代が少なくなり、不安定である。
【００１１】
又、下部フランジ５７ａの縁部とボルト６７外周部との間には間隔があるため、地震時等には押え板６６には大きな曲げ力が掛る。従って、押え板６６の曲げ耐力を十分にするためには、押え板６６の厚さを厚くしなければならず、しかも組立ても工数を要するため、コストアップを招来する虞がある。
【００１２】
本発明は、上述の実情に鑑み、支持脚の高さ調整代を十分に取ることができるようにし、且つ桁部材を押える押え板の厚さを薄くすると共に組立ての簡素化による工数低減を図ることができるようにして、コストダウンを可能にした床パネル支持構造を提供することを目的としてなしたものである。
【００１３】
【課題を解決するための手段】
請求項１の発明は、複数の支持脚に軽量Ｈ形鋼である第一の桁部材を取付けると共に前記第一の桁部材に平面視で略井桁状になるよう第二の桁部材を取付け、該第二の桁部材にパネル支持部材を介して床パネルを支持させるようにした床パネル支持構造において、
各支持脚は、下端に基板が固設された複数のボルトと、該ボルトに螺合された支持ナットと、該支持ナットに支持されると共に、前記第一の桁部材が取付けられる支持台を備え、
該支持台には、第一の桁部材における下部のフランジが載置され、第一の桁部材における下部のフランジの縁部には、支持台に載置された、前記フランジと略厚さが等しい当て板が当接され、
当て板の上面及び第一の桁部材における下部のフランジの上面には、押え板が載置され、基板に固設された複数のボルトは、外周部が第一の桁部材における下部のフランジの縁部に当接するよう当て板及び押え板を貫通し、
前記ボルトには押え板及び当て板を介して第一の桁部材を支持脚の支持台に固定するためのナットが螺着されるよう構成されているものである。
【００１４】
請求項２の発明は、複数の支持脚に軽量Ｈ形鋼である桁部材を取付けると共に前記桁部材にパネル支持部材を介して床パネルを支持させるようにした床パネル支持構造において、
各支持脚は、下端に基板が固設された複数のボルトと、該ボルトに螺合された支持ナットと、該支持ナットに支持されると共に、前記桁部材が取付けられる支持台を備え、
該支持台には、桁部材における下部のフランジが載置され、桁部材における下部のフランジの縁部には、支持台に載置された、前記フランジと略厚さが等しい当て板が当接され、
当て板の上面及び桁部材における下部のフランジの上面には、押え板が載置され、基板に固設された複数のボルトは、外周部が桁部材における下部のフランジの縁部に当接するよう当て板及び押え板を貫通し、
前記ボルトには押え板及び当て板を介して桁部材を支持脚の支持台に固定するためのナットが螺着されるよう構成されているものである。
【００１５】
請求項３の発明においては、支持台は、ウエブが上面となり、フランジが支持脚のボルトを挟むように下向きである溝型鋼状の材料で構成されている。
【００１６】
請求項４の発明においては、当て板には、水平方向から支持脚のボルトにセットし得るようにＵ字状の切欠き孔が形成され、該切欠き孔の円弧部の半径はボルトの半径よりも僅かに大きく、又、円弧部の半径の基準となる中心から矩形状の開口側端部までの寸法もボルトの半径よりも僅かに大きく形成されている。
【００１８】
本発明によれば、コンクリートスラブ上面から床パネル上面までの高さが低い場合にも、支持脚の調整代を十分に取ることができ、又、支持ナットの廻り止めはダブルナットにしなくても良いので構造が簡単であり、押え板には大きな曲げ力は作用せず、従って押え板の厚さを薄くすることができ、更には組立ての簡素化による工数低減を図ることができるため、コストダウンが可能となる。又、支持脚の配置ピッチを変えることにより、耐荷重に対する対応を柔軟に行うことができる。
【００１９】
【発明の実施の形態】
以下、本発明の実施の形態を図示例と共に説明する。
図１〜図７は本発明の床パネル支持構造の実施の形態の一例である。
【００２０】
図中、１はクリーンルームやコンピュータ室のコンクリートスラブ上面２に立設、固定された複数の支持脚、３は水平に配置されて支持脚１上に載置、固定された軽量Ｈ型鋼製の桁部材、４は平面視で桁部材３に対し直交する方向へ延在するよう桁部材３上に配置、固定された軽量Ｈ型鋼製の桁部材、５は桁部材４の上面に桁部材４の長手方向へ所定の間隔で配置、固定されたパネル支持部材、６は近接する四隅を夫々パネル支持部材５の４本の突出部５ａに嵌込まれて支持され、皿ビス５ｂにより固定された床パネルである。床パネル６は必要に応じて孔の設けられているものや、孔の設けられていないものを使用し得るようになっている。
【００２１】
図５に示すように、支持脚１は左右で対をなすと共に下端近傍まで雄ねじ７ａが螺設された２本の高さ調整用のボルト７を備え、ボルト７の下端には、夫々、ボルト７をコンクリートスラブ上面２に立設、固定させるため、コンクリートスラブ上面２に固定されるようにした基板８が固設されている。
【００２２】
ボルト７には、支持ナット９が螺合されている。又、ボルト７には、ウエブ１０ａが上面となり且つフランジ１０ｂがボルト７を前後から挟むようにして、溝型鋼状の支持台１０が、左右のボルト７を接続するよう取付けられている。すなわち、支持台１０のウエブ１０ａには、ボルト孔が穿設されており、このボルト孔にボルト７を挿通させることにより、支持台１０はボルト７に取付けられ、支持台１０のウエブ１０ａ下面は支持ナット９の上面に支持されるようになっている。支持ナット９の側面には、支持台１０の高さ調整後に支持ナット９が回転しないよう止めボルト１１が螺着されている。
【００２３】
支持台１０に所定の状態に桁部材３をセットした際には、ボルト７の外周は桁部材３におけるフランジ３ａの縁部に当接し得るようになっており、ボルト７の支持台１０上方への突出部には、桁部材３の下部のフランジ３ａ縁部に当接し得るよう、ボルト７の支持台１０に搭載された当て板１２を取付け得るようになっている。又、ボルト７の支持台１０上方への突出部には、当て板１２の上面及び桁部材３のフランジ３ａの上面を押え得るよう、押え板１３が取付けられ、ボルト７の押え板１３上方の部分に螺合したナット１４により押えられるようになっている。
【００２４】
図６に示すように、当て板１２には当て板１２を水平方向からボルト７にセットし得るようＵ字状の切欠き孔１２ａが形成されている。切欠き孔１２ａの中心Ｏに対する円弧部の半径はボルト７の半径よりも僅かに大きく、又、中心Ｏから矩形状の開口側端部までの寸法もボルト７の半径よりも僅かに大きく形成されている。又、図７に示すように、桁部材３の押え板１３には、中心からずれた位置にボルト孔１３ａが穿設されている。
【００２５】
本図示例の床パネル支持構造で室内床面を形成する際には、所定の間隔で複数の支持脚１をコンクリートスラブ上面２に設置、固定し、支持ナット９の止めボルト１１を緩めて支持ナット９を廻し、全ての支持台１０の上面の高さが同一となるよう、高さ調整を行い、高さ調整が終了したら止めボルト１１を締めて支持ナット９が回転しないようにする。
【００２６】
次に、桁部材３を支持台１０の上面に載置すると共に、水平方向から当て板１２を、切欠き孔１２ａの開口部側先端が桁部材３の縁部に当接するよう、ボルト７に外嵌させて差込み、押え板１３をボルト７に外嵌させ、更にナット１４をボルト７に螺合させて締め込む。これにより、押え板１３は、当て板１２及び桁部材３を動かないよう固定する。
【００２７】
続いて、桁部材３の上面に桁部材４を取付け、桁部材４の上面にパネル支持部材５を取付け、パネル支持部材５に、１個のパネル支持部材５に対して４枚の床パネル６の四隅が支持されるよう取付ける。
【００２８】
本図示例によれば、支持脚１の支持台１０の高さの調整は、ボルト７及び支持ナット９により行うようにしているため、コンクリートスラブ上面２から床パネル６の上面までの高さが低い場合にも、調整代を十分に取ることができ、又、桁部材３を取付けた後は、ボルト７の外周部は桁部材３におけるフランジ３ａの縁部に当接しているため、押え板１３には大きな曲げ力は作用せず、従って押え板１３の厚さを薄くすることができ、更には組立ての簡素化による工数の低減を図ることができるため、コストダウンが可能となる。又、支持脚１の配置ピッチを変えることにより、耐荷重に対する対応を柔軟に行うことができる。
【００２９】
図８、９は本発明の床パネル支持構造の実施の形態の他の例である。前記図示例では、桁部材３，４を井桁状に取付けているが、本図示例では桁部材４を設けず、桁部材３の上に床パネル６を取付けるパネル支持部材５を直接取付けるようにしている。斯かる構成としても前述の図示例と同様な作用効果を奏し得る他、コンクリートスラブ上面２から床パネル６までの高さを更に低くすることができる。
【００３０】
なお、本発明の床パネル支持構造は、上述の図示例にのみ限定されるものではなく、本発明の要旨を逸脱しない範囲内において種々変更を加え得ることは勿論である。
【００３１】
【発明の効果】
以上、説明したように本発明の床パネル支持構造によれば、コンクリートスラブ上面から床パネル上面までの高さが低い場合にも、支持脚の調整代を十分に取ることができ、又、押え板には大きな曲げ力は作用せず、従って押え板の厚さを薄くすることができ、更には組立ての簡素化による工数の低減を図ることができるため、コストダウンが可能となり、しかも又、支持脚の配置ピッチを変えることにより、耐荷重に対する対応を柔軟に行うことができる、等種々の優れた効果を奏し得る。
【図面の簡単な説明】
【図１】本発明の床パネル支持構造の実施の形態の一例の側面図である。
【図２】図１のＩＩ−ＩＩ方向矢視図である。
【図３】図２のＩＩＩ部拡大図である。
【図４】図１に示す下側の桁部材から下方の部分の斜視図である。
【図５】図１、２、４に示す支持脚の部分の正面図である。
【図６】支持脚と桁部材を締結する部分に使用する当て板の平面図である。
【図７】支持脚と桁部材を締結する部分に使用する押え板の平面図である。
【図８】本発明の床パネル支持構造の実施の形態の他の例の側面図である。
【図９】図８のＩＸ−ＩＸ方向矢視図である。
【図１０】従来の床パネル支持構造の一例を示す斜視図である。
【図１１】従来の床パネル支持構造の他の例を示す側面図である。
【図１２】図１１のＸＩＩ−ＸＩＩ方向矢視図である。
【図１３】図１２のＸＩＩＩ部拡大図である。
【符号の説明】
１  支持脚
３  桁部材
３ａ        フランジ
４  桁部材
５  パネル支持部材
６  床パネル
７  ボルト
８  基板
９  支持ナット
１０  支持台
１０ａ ウエブ
１０ｂ フランジ
１１  止めボルト
１２  当て板
１２ａ 切欠き孔
１３  押え板
１４ ナット
Ｏ 中心
【図１】
0003954865.tif 000002
【図２】
0003954865.tif 000003
【図３】
0003954865.tif 000004
【図４】
0003954865.tif 000005
【図５】
0003954865.tif 000006
【図６】
0003954865.tif 000007
【図７】
0003954865.tif 000008
【図８】
0003954865.tif 000009
【図９】
0003954865.tif 000010
【図１０】
0003954865.tif 000011
【図１１】
0003954865.tif 000012
【図１２】
0003954865.tif 000013
【図１３】
0003954865.tif 000014